(57)【要約】【課題】繰り返しの使用が可能であり、電線の傾斜や揺動に追従して懸垂碍子の電線支持部を完全に絶縁被包できるようにする。【解決手段】懸垂碍子の電線支持部側を被覆するカバー本体１と、一端側の連結部２１がカバー本体１の両袖部１１にそれぞれ回動可能に連結された電線の保護パイプ２を備え、カバー本体１と保護パイプ２は縦裂きされて、カバー本体１の上面部１２の中央部分を除いた部分と保護パイプの連結部２１側を除く部分の相対向した両縁部は接合可能に立ち上がった接合縁１２ａ，１２ｂと２２ａ，２２ｂに形成され、カバー本体１の上面には、その中央部分に開口１３を形成できるように、該中央部分に臨んだ両縁部の部分から切り込んだ切り欠き部１３ａを相対向させて設け、カバー本体１の両袖部１１の内面は電線支持部と保護パイプ２の連結部２１に当接する接合面部１４ａと１４ｂに形成され、保護パイプ１の連結部２１は上記接合面部１４ｂに当接できる周面部２１ａを備えている。【選択図】  図１
2004247270.tif 000002
【特許請求の範囲】
【請求項１】
懸垂碍子の電線支持部側を被覆できるように形成されている絶縁材よりなるカバー本体と、一端側に設けられた連結部が上記カバー本体の左右両袖部に嵌合してそれぞれ回動可能に連結された絶縁材よりなる電線の保護パイプを備え、カバー本体と保護パイプはいずれも長さ方向に沿って縦裂きされて、カバー本体の上面部の中央部分を除いた部分と保護パイプの上記連結部側を除く部分のそれぞれ相対向した両縁部は互いに接合可能に立ち上がった接合縁に形成されており、カバー本体の上面には、その中央部分に開口を形成できるように、該中央部分に臨んだ両縁部の部分から切り込んだ切り欠き部を相対向させて設け、また、カバー本体の左右両袖部の内面は電線支持部側と保護パイプの上記連結部側に当接する接合面部にそれぞれ形成されている一方、保護パイプの上記連結部は上記接合面部に当接できる周面部を備えていることを特著とする懸垂碍子の電線支持部用保護カバー。
【請求項２】
カバー本体と保護パイプは可撓性を有する合成樹脂製であることを特徴とする請求項１記載の懸垂碍子の電線支持部用保護カバー。
【発明の詳細な説明】
【０００１】
【発明の属する技術分野】
本発明は、懸垂碍子の電線支持部に装着して感電事故防止に用いる、懸垂碍子の電線支持部用保護カバーに関する。
【０００２】
【従来の技術】
送電線を支持した懸垂碍子の電線支持部に用いる保護カバーとしては、該電線支持部を覆うことができるようにヒンジ部により回動可能に連設されていて、各各にほぼＵの字状断面形の接合縁部が設けられている左右一対の合成樹脂製のカバー体により構成されたものが知られている。この公知の保護カバーは工事現場等の架空電線に被着する通常の合成樹脂製の保護パイプと併用されており、電線架設部の安全防護機能を発揮できることは勿論、軽量であって電線支持部に対し容易に着脱操作ができる取扱上の利便性を有している。また、反復して使用できる経済性をも備えている（例えば、特許文献１参照。）。
【０００３】
【特許文献１】
特開２００２−９３２５５号公報
【０００４】
【発明が解決しようとする課題】
ところで、上記公知の保護カバーは懸垂碍子の電線支持部に装着すると、電線に被着した保護パイプは、保護カバーの接合縁部に内接した状態で、先方部分が該接合縁部に嵌装されるようになっているが、両部材は離間できないように連結されていない。したがって、風圧等の影響により電線が揺れて保護パイプ同士がズレたりすると、保護パイプの先方部分は保護カバーの接合縁部から離間して、その離間部分の電線が露出してしまうといった不具合の起こる恐れがあり、安全対策面での改善が要望されていた。
【０００５】
そこで、本発明の目的は繰り返しの使用ができることは勿論、架設されている電線の傾斜や揺動に追従できて懸垂碍子の電線支持部への装着状態に無理がなく、また、電線が不当に露出する危険性も完全に防止できるように改良した懸垂碍子の電線支持部用保護カバーを提供することにある。
【０００６】
【課題を解決するための手段】
上記目的を達成するために、本発明の特徴とする懸垂碍子の電線支持部用保護カバーは、懸垂碍子の電線支持部側を被覆できるように形成されている絶縁材よりなるカバー本体と、一端側に設けられた連結部が上記カバー本体の左右両袖部に嵌合してそれぞれ回動可能に連結された絶縁材よりなる電線の保護パイプを備え、カバー本体と保護パイプはいずれも長さ方向に沿って縦裂きされて、カバー本体の上面部の中央部分を除いた部分と保護パイプの上記連結部側を除く部分のそれぞれ相対向した両縁部は互いに接合可能に立ち上がった接合縁に形成されており、カバー本体の上面には、その中央部分に開口を形成できるように、該中央部分に臨んだ両縁部の部分から切り込んだ切り欠き部を相対向させて設け、また、カバー本体の左右両袖部の内面は電線支持部側と保護パイプの上記連結部側に当接する接合面部にそれぞれ形成されている一方、保護パイプの上記連結部側は上記接合面部に当接できる周面部を備えている。
【０００７】
この発明の構成において、カバー本体と保護パイプは可撓性を有する合成樹脂、例えば低密度ポリエチレ製であることが軟質であると同時に絶縁性能や成形性の面から好ましい。カバー本体と保護パイプとの回動連結は絶縁性を有する鋲等を用いて果たされ、また、カバー本体と保護パイプの各各の接合縁は、本保護カバーを電線支持部側へ装着した後で、直ちに適当な手段を用いて接合状態に止着される。
【０００８】
【発明の実施の形態】
以下に、本発明の実施の形態を図面を参照して説明する。１は懸垂碍子の電線支持部側を被覆できるように形成されている絶縁材よりなるカバー本体、２，２はカバー本体１の左右両袖部１１，１１に一端側の連結部２１が嵌合してそれぞれ回動可能に連結された絶縁材よりなる電線の保護パイプであって、この両部材は、例えば合成樹脂等の絶縁性を有する鋲３等を用いて回動可能に連結されている。なお、上記絶縁材としては可撓性を有する合成樹脂、例えば、肉厚が２ｍｍ程度の低密度ポリエチレンを用いるのが好ましい。
【０００９】
カバー本体１と保護パイプ２はいずれも長さ方向に沿って縦裂きされて、カバー本体１の上面部１２の中央部分を除いた部分と保護パイプ２の上記連結部２１側を除く部分のそれぞれ相対向した両縁部は接合可能に立ち上がった接合縁１２ａ，１２ｂと２２ａ，２２ｂに形成されている。カバー本体１の上面部１２には、その中央部分に開口１３を形成できるように、該中央部分に臨んだ両縁部の部分から切り込んだ切り欠き部１３ａ，１３ａが相対向して設けられている。
【００１０】
また、カバー本体１の左右両袖部１１の内面は電線支持部と保護パイプの連結部２１に当接する接合面部１４ａ（上部側のみ）と接合面部１４ｂ（上下部）にそれぞれ形成されている一方、保護パイプ２の連結部２１は上下の接合面部１４ｂにそれぞれ当接できる周面部２１ａを備えている。２３は保護パイプ２の相対向した接合縁２２ａ，２２ｂのうちの一方の接合縁２２ａの一端側に設けられている隙間防止用のスペーサー、１５，２４はカバー本体１の周側面部１ａと保護パイプ２の連結部２１の周面部２１ａにそれぞれ相対向させて設けた位置決め用の嵌合部として機能している膨出部であって、この嵌合した膨出部１５，２４の部分を利用してカバー本体１と保護パイプ２は鋲３着されている。
【００１１】
なお、図示の場合、接合縁１２ａ，１２ｂと２２ａ，２２ｂ同士の止着にはマジックテープ１６，２５がそれぞれ用いられているが、これは他の方法も随時採用できる。マジックテープによって止着するときは、接合縁１２ａ，１２ｂと２２ａ，２２ｂは各各の一方の接合縁１２ａ，２２ａか１２ｂ，２２ｂにテープ挿通穴１７，２６が設けられており、テープ挿通穴１７，２６が設けられていない方の接合縁は高さが若干低く（テープ挿通穴１７，２６を設けるために必要な幅）なっている。図中、２７は保護パイプ２に設けられているテープ位置決め用の凹みである。
【００１２】
本保護カバーは上記の如くであって、例えば、図５に示すように懸垂碍子の最下位の碍子３０とその電線支持部３１を下方から覆うようにして、カバー本体１を碍子３０上に支持させると同時に、電線支持部３１側から延びる電線３２を保護パイプ２により被って、接合縁１２ａ，１２ｂと２２ａ，２２ｂをそれぞれ接合させて止着するようにして用いるものである。
【００１３】
この保護カバーによれば、懸垂碍子の電線支持部側は架設されている電線の碍子側寄り部分を含めて隠蔽することができて、当該部分の安全性は一段と向上する。カバー本体１と保護パイプ２は回動可能に連結されており、電線３２の揺動には保護パイプ２が容易に追従できて、カバー本体１側との間に抵抗が生じないことは勿論、保護パイプ２の連結部２１側の周面部２１ａはカバー本体１の袖部１１の内面の接合面部１４に常時当接して、両部材の装着状態は安定できる。
【００１４】
また、保護パイプ２はカバー本体１に離間不能に連結されているので、両部材間に電線３２の露出する不具合は全く起こらず、懸垂碍子の電線支持部３１近傍に生じ勝ちな感電事故の危険性を完全に防止できる。なお、カバー本体１は懸垂碍子の電線支持部３１に支持させて実施することも可能であって、カバー本体１自体の形態は電線支持部側のそれに対応して変形させるものである。
【図面の簡単な説明】
【図１】本発明の実施の形態を一部切り欠いて示した半開き状態の斜視図である。
【図２】図１に示すものを閉じた状態の正面図である。
【図３】図１に示すもののカバー本体の側断面図である。
【図４】図１に示すものの保護パイプの平面図である。
【図５】図１に示すものを電線支持部に装着した使用状態図で、一部が切り欠かれている部分正面図である。
【符号の説明】
１はカバー本体、２は保護パイプ、３は鋲、１１は袖部、１２は上面部、１２ａ，１２ｂは接合縁、１３は開口、１３ａは切り欠き部、１４ａ，１４ｂは接合面部、２１は連結部、２２ａ，２２ｂは接合縁、２１ａは周面部、３０は碍子、３１は電線支持部である。
【図１】
2004247270.tif 000003
【図２】
2004247270.tif 000004
【図３】
2004247270.tif 000005
【図４】
2004247270.tif 000006
【図５】
2004247270.tif 000007